(57)【特許請求の範囲】
【請求項１】
携帯用電子装置（１００）であって、
ハウジング部（１４０）であって、該ハウジング部（１４０）は第１の側部（１２０）および第２の側部（１２２）を規定し、前記第１の側部（１２０）は前記第２の側部（１２２）に実質的に垂直な位置を有し、第１のハウジング部（１１２）および第２のハウジング部（１１４）を含み、前記第１のハウジング部（１１２）は前記第２のハウジング部（１１４）に対し移動可能に結合されかつ前記携帯用電子装置（１００）のための開かれた位置および閉じられた位置を提供し、前記携帯用電子装置（１００）は前記閉じられた位置において前記第１の表示領域（１３２）を覆いかつ前記第２の表示領域（１３０）を露出する、ハウジング部（１４０）、
送受信機（５０２）であって、該送受信機（５０２）は前記ハウジング部（１４０）に配置され、前記送受信機（５０２）は発呼ユニットからの到来呼に対応する信号を受信するよう動作する送受信機（５０２）、
第１の表示領域（１３２）であって、該第１の表示領域（１３２）は前記第１の側部（１２０）から観察可能であり、前記第１の表示領域（１３２）はテキスト情報を含む情報を視覚的に表示する第１の表示領域（５０２）、そして
第２の表示領域（１３０）であって、該第２の表示領域（１３０）は前記第２の側部（１２２）から観察可能であり、前記第２の表示領域（１３０）は発呼ユニットの識別情報を含む情報を視覚的に表示する第２の表示領域（１３０）、
コントローラ回路（５０４）であって、該コントローラ回路（５０４）は前記ハウジング部（１４０）に配置され、前記第１および第２の表示領域（１３０，１３２）は前記コントローラ回路（５０４）に応答して前記情報を視覚的に表示し、前記第２のハウジング部が開かれた位置から閉じられた位置へと配置された第１時刻において、前記第１の表示領域（１３２）への電力をディスエーブルし、前記第２の表示領域（１３０）への電力をイネーブルし、
前記第１時刻から所定の期間の経過後に前記第２の表示領域（１３０）への電力をディスエーブルするように動作する、コントローラ回路（１０５）、
を具備することを特徴とする携帯用電子装置（１００）。
【請求項２】
前記第２の側部（１２２）は前記ハウジング部（１０４）の頭部側からなり、前記第１の表示領域（１３２）はテキスト情報のための複数ライン表示領域を含み、かつ前記第２の表示領域（１３０）は前記識別情報のための単一ライン表示領域を含むことを特徴とする請求項１に記載の携帯用電子装置（１００）。
【請求項３】
さらに、
コントローラ回路（５０４）であって、前記発呼ユニットの発呼者識別（ＩＤ）情報を含む識別情報を視覚的に表示するために前記第２の表示領域（１３０）を制御するよう動作可能であり、前記携帯用電子装置（１００）が前記閉じられた位置から前記開かれた位置へと配置されたことに応じて前記到来呼に応答するよう動作可能である、コントローラ、
を具備することを特徴とする請求項１に記載の携帯用電子装置（１００）。
【請求項４】
携帯用通信装置（１００）であって、
ハウジング部（１０４）であって、第１のハウジング部（１１２）および第２のハウジング部（１１４）を含み、前記第１および第２のハウジング部（１１２，１１４）は移動可能に結合されかつ前記携帯用通信装置（１００）のための開かれた位置および閉じられた位置を提供し、開かれた位置において前部面（１２０）をかつ前記閉じられた位置において頭部面（１２２）を露出するハウジング部（１０４）と、
送受信機（５０２）であって、該送受信機（５０２）は前記ハウジング部（１０４）に配置されている送受信機（５０２）と、
アンテナ（１１０）であって、該アンテナ（１１０）は前記送受信機（５０２）に結合されているアンテナ（１１０）と、
第１の表示領域（１３２）であって、前記前部面（１２０）から観察可能でありかつ前記携帯用通信装置（１００）が閉じられた位置にある時に覆われる第１の表示領域（１３２）と、
第２の表示領域（１３０）であって、は前記頭部面（１２２）から観察可能である第２の表示領域（１３０）と、
コントローラ回路（５０４）であって、前記ハウジング部（１０４）に配置されかつ前記送受信機（５０２）に結合され、前記第１の表示領域（１３２）においてテキスト情報を含む視覚的表示を提供するよう動作し、前記第２の表示領域（１３０）において発呼者識別（ＩＤ）情報を含む情報の視覚的表示を提供するよう動作し、前記第２のハウジング部が開かれた位置から閉じられた位置へと配置された第１時刻において、前記第１の表示領域（１３２）への電力をディスエーブルし、前記第２の表示領域（１３０）への電力をイネーブルし、前記第１時刻から所定の期間の経過後に前記第２の表示領域（１３０）への電力をディスエーブルするように動作するコントローラ回路（５０４）と、
を具備することを特徴とする携帯用通信装置（１００）。
【請求項５】
前記第１の表示領域（１３２）はテキスト情報のための複数ラインの表示領域を含みかつ前記第２の表示領域（１３０）は発呼者ＩＤ情報のための単一ラインの表示領域を含むことを特徴とする請求項４に記載の携帯用通信装置（１００）。
【請求項６】
さらに、
スピーカ（１３６）であって、該スピーカ（１３６）は前記ハウジング部（１０４）に配置されかつ前記携帯用通信装置（１００）が閉じられた位置にある時覆われるスピーカ（１３６）と、
マイクロホン（１３８）であって、該マイクロホン（１３８）は前記ハウジング部（１０４）に配置されているマイクロホン（１３８）と、
複数の電話キー（１４０）であって、前記ハウジング部（１０４）上に担持されかつ前記携帯用通信装置（１００）が閉じられた位置にある時覆われる複数の電話キー（１４０）と
を具備することを特徴とする請求項４に記載の携帯用通信装置（１００）。
【請求項７】
携帯用無線電話（１００）であって、
ハウジング部（１０４）であって、第１のハウジング部（１１２）および第２のハウジング部（１１４）を含み、前記第１および前記第２のハウジング部（１１２，１１４）は回転可能に結合されかつ前記携帯用無線電話（１００）のための開かれた位置および閉じられた位置を提供し、前記ハウジング部（１０４）は開かれた位置において前部側（１２０）をかつ閉じられた位置において第２の側部（１２２）を露出するハウジング部（１０４）と、
無線送受信機（５０２）であって、前記ハウジング部（１０４）に配置されている無線送受信機（５０２）と、
アンテナ（１１０）であって、該アンテナ（１１０）は前記無線送受信機（５０２）に結合されているアンテナ（１１０）と、
マイクロホン（１３８）であって、前記ハウジング部（１０４）に配置されているマイクロホン（１３８）と、
スピーカ（１３６）であって、前記ハウジング部（１０４）に配置されかつ前記携帯用無線電話（１００）が閉じられた位置にある時覆われるスピーカ（１３６）と、
複数の電話キー（１４０）であって、前記ハウジング部（１０４）上に担持されかつ前記携帯用無線電話（１００）が閉じられた位置にある時覆われる複数の電話キー（１４０）と、
第１の表示装置（５２０）であって、前記第１の表示装置（５２０）は前記第１の側部（１２０）から観察可能でありかつ少なくとも英数字文字の視覚的表示を提供するよう動作し、前記第１の表示装置（５２０）は前記携帯用無線電話（１００）が閉じられた位置にある時視界から遮られる第１の表示装置（５２０）と、
第２の表示装置（５１６）であって、前記第２の表示装置（５１６）は前記第２の側部（１２２）から観察可能でありかつ少なくとも数字文字の視覚的表示を提供するよう動作可能である第２の表示装置（５１６）と、
コントローラ回路（５０４）であって、該コントローラ回路（５０４）は前記ハウジング部（１０４）に配置され、前記第１および第２の表示装置（５２０，５１６）は前記コントローラ回路（５０４）に結合されかつ応答し、前記第２のハウジング部が開かれた位置から閉じられた位置へと配置された第１時刻において、前記第１の表示装置（５２０）への電力をディスエーブルし、前記第２の表示装置（５１６）への電力をイネーブルし、前記第１時刻から所定の期間の経過後に前記第２の表示装置（５１６）への電力をディスエーブルするコントローラ回路（５０４）と
を具備することを特徴とする携帯用無線電話（１００）。
【請求項８】
前記無線送受信機（５０２）は発呼ユニットからの到来呼に対応する信号を受信するよう動作し、かつ前記コントローラ回路（５０４）は前記携帯用無線電話（１００）が閉じられた位置にある時発呼ユニットの発呼者識別（ＩＤ）情報を視覚的に表示するために前記第２の表示装置（５１６）を制御するよう動作可能であることを特徴する請求項７に記載の携帯用無線電話（１００）。
【発明の詳細な説明】
【０００１】
【発明の属する技術分野】
本発明は一般的には複数の表示装置を有する通信装置に関し、かつより特定的には複数の表示装置を有する携帯用無線通信装置に関する。
【０００２】
【従来の技術】
セルラ電話のような、数多くの携帯用通信装置は比較的大きな前面および背面または後部面を画定しかつ薄い側部を有するハウジングを含む。そのような装置は衣服のポケット内に適合するようあるいはベルトまたはホルスタ（ｈｏｌｓｔｅｒ）で運ぶのに十分薄くすることができる。典型的には、該装置の前面はキーパッドまたは表示装置のような１つまたはそれ以上の構成要素を含むユーザインタフェースを有する。該装置が上に述べたようにして運ばれるとき、ユーザインタフェースはユーザにとって非常に便宜的なものではない可能性がある。例えば、そのような装置がユーザのベルト上で運ばれる場合、ユーザインタフェースは完全にまたは部分的にユーザの視界からふさがれる。
【０００３】
さらに、いくつかの装置はほこりまたは雨のような種々の要素から保護するために、あるいはキーパッドにおける不注意の作動に対する保護のためのような他の理由によってユーザインタフェースを覆うフラップを有する。非常に都合のよいものであるが、そのようなフラップは同様にあるいはさらにユーザインタフェースの観察を妨げる可能性がある。
【０００４】
【発明が解決しようとする課題】
従って、必要なものはユーザにとってより便宜的であり、かつさらに通信装置の電力消費またははコストを実質的に増大しないユーザインタフェースを有する通信装置である。
【０００５】
【課題を解決するための手段】
本発明によれば、携帯用通信装置はハウジング、第１の表示領域、および第２の表示領域を具備する。第１の表示領域はハウジングの前面（ｆｒｏｎｔ）に配置されかつ該前面から外側に向けられており、かつ第２の表示領域はハウジングの側部に配置されかつ該側部から外側に向けられている。該ハウジングは開かれた位置および閉じられた位置へと移動可能なハウジング部分を含み、前記第１の表示領域は前記第１および第２の位置の１つにおいてハウジング部分によって覆われる。
【０００６】
本発明の一態様に係わる携帯用電子装置（１００）は、ハウジング部（１４０）であって、該ハウジング部（１４０）は第１の側部（１２０）および第２の側部（１２２）を規定し、前記第１の側部（１２０）は前記第２の側部（１２２）に実質的に垂直な位置を有するもの、送受信機（５０２）であって、該送受信機（５０２）は前記ハウジング部（１０４）に配置され、前記送受信機（５０２）は発呼ユニットからの到来呼に対応する信号を受信するよう動作するもの、第１の表示領域（１３２）であって、該第１の表示領域（１３２）は前記第１の側部（１２０）から観察可能であり、前記第１の表示領域（１３２）はテキスト情報を含む情報を視覚的に表示するもの、そして第２の表示領域（１３０）であって、該第２の表示領域（１３０）は前記第２の側部（１２２）から観察可能であり、前記第２の表示領域（１３０）は発呼ユニットの識別情報を含む情報を視覚的に表示するもの、を具備することを特徴とする。
【０００７】
前記第２の側部（１２２）は前記ハウジング部（１０４）の頭部側からなり、前記第１の表示領域（１３２）はテキスト情報のための複数ライン表示領域を含み、かつ前記第２の表示領域（１３０）は前記識別情報のための単一ライン表示領域を含むものとすることができる。
【０００８】
さらに、コントローラ回路（５０４）であって、該コントローラ回路（５０４）は前記ハウジング部（１４０）に配置され、前記第１および第２の表示領域（１３０，１３２）は前記コントローラ回路（５０４）に応答して前記情報を視覚的に表示するもの、を具備すると好都合である。
【０００９】
また、前記ハウジング部（１０４）は第１のハウジング部（１１２）および第２のハウジング部（１１４）を含み、前記第１のハウジング部（１１２）は前記第２のハウジング部（１１４）に対し移動可能に結合されかつ前記携帯用電子装置（１００）のための開かれた位置および閉じられた位置を提供し、前記携帯用電子装置（１００）は前記閉じられた位置において前記第１の表示領域（１３２）を覆いかつ前記第２の表示領域（１３０）を露出するよう構成してもよい。
【００１０】
さらに、前記ハウジング部（１０４）の第１のハウジング部（１１２）、前記ハウジング部（１０４）の第２のハウジング部（１１４）であって、前記第１のハウジング部（１１２）は前記第２のハウジング部（１１４）に移動可能に結合されかつ前記携帯用電子装置（１００）のための開かれた位置および閉じられた位置を提供し、前記携帯用電子装置（１００）は前記閉じられた位置において前記第１の表示領域（１３２）を覆うよう構成されているもの、そしてコントローラ回路（５０４）であって、該コントローラ回路（５０４）は前記ハウジング部（１０４）に配置され、前記コントローラ回路（５０４）は前記第１および第２の表示領域（１３０，１３２）の視覚的表示を制御するよう動作し、前記コントローラ回路（５０４）は前記発呼ユニットの発呼者識別（ＩＤ）情報を含む識別情報を視覚的に表示するために前記第２の表示領域（１３０）を制御するよう動作可能であり、前記コントローラ回路（５０４）は前記携帯用電子装置（１００）が前記閉じられた位置から前記開かれた位置へと配置されたことに応じて前記到来呼に応答するよう動作可能であるもの、を設けることもできる。
【００１１】
本発明の別の態様に係わる携帯用通信装置（１００）は、ハウジング部（１０４）であって、該ハウジング部（１０４）は第１のハウジング部（１１２）および第２のハウジング部（１１４）を含み、前記第１および第２のハウジング部（１１２，１１４）は移動可能に結合されかつ前記携帯用通信装置（１００）のための開かれた位置および閉じられた位置を提供し、前記ハウジング部（１０４）は開かれた位置において前部面（１２０）をかつ前記閉じられた位置において頭部面（１２２）を露出するもの、送受信機（５０２）であって、該送受信機（５０２）は前記ハウジング部（１０４）に配置されているもの、アンテナ（１１０）であって、該アンテナ（１１０）は前記送受信機（５０２）に結合されているもの、第１の表示領域（１３２）であって、該第１の表示領域（１３２）は前記前部面（１２０）から観察可能でありかつ前記携帯用通信装置（１００）が閉じられた位置にある時に覆われるもの、第２の表示領域（１３０）であって、該第２の表示領域（１３０）は前記頭部面（１２２）から観察可能であるもの、コントローラ回路（５０４）であって、該コントローラ回路（５０４）は前記ハウジング部（１０４）に配置されかつ前記送受信機（５０２）に結合され、前記コントローラ回路（５０４）は前記第１の表示領域（１３２）においてテキスト情報を含む視覚的表示を提供するよう動作し、前記コントローラ回路（５０４）は前記第２の表示領域（１３０）において発呼者識別（ＩＤ）情報を含む情報の視覚的表示を提供するよう動作するもの、を具備することを特徴とする。
【００１２】
前記第１の表示領域（１３２）はテキスト情報のための複数ラインの表示領域を含みかつ前記第２の表示領域（１３０）は発呼者ＩＤ情報のための単一ラインの表示領域を含むものとすることができる。
【００１３】
さらに、スピーカ（１１６）であって、該スピーカ（１１６）は前記ハウジング部（１０４）に配置されかつ前記携帯用通信装置（１００）が閉じられた位置にある時覆われるもの、マイクロホン（１１４）であって、該マイクロホン（１１４）は前記ハウジング部（１０４）に配置されているもの、そして複数の電話キー（１４０）であって、該複数の電話キー（１４０）は前記ハウジング部（１０４）上に担持されかつ前記携帯用通信装置（１００）が閉じられた位置にある時覆われるものを設けることもできる。
【００１４】
本発明のさらに別の態様に係わる携帯用無線電話（１００）は、ハウジング部（１０４）であって、該ハウジング部（１０４）は第１のハウジング部（１１２）および第２のハウジング部（１１４）を含み、前記第１および前記第２のハウジング部（１１２，１１４）は回転可能に結合されかつ前記携帯用無線電話（１００）のための開かれた位置および閉じられた位置を提供し、前記ハウジング部（１０４）は開かれた位置において前部側（１２０）をかつ閉じられた位置において第２の側部（１２２）を露出するもの、無線送受信機（５０２）であって、該無線送受信機（５０２）は前記ハウジング部（１０４）に配置されているもの、アンテナ（１１０）であって、該アンテナ（１１０）は前記無線送受信機（５０２）に結合されているもの、マイクロホン（１１４）であって、該マイクロホン（１１４）は前記ハウジング部（１０４）に配置されているもの、スピーカ（１１６）であって、該スピーカ（１１６）は前記ハウジング部（１０４）に配置されかつ前記携帯用無線電話（１００）が閉じられた位置にある時覆われるもの、複数の電話キー（１４０）であって、該複数の電話キー（１４０）は前記ハウジング部（１０４）上に担持されかつ前記携帯用無線電話（１００）が閉じられた位置にある時覆われるもの、コントローラ回路（５０４）であって、該コントローラ回路（５０４）は前記ハウジング部（１０４）に配置されているもの、第１の表示装置（５２０）であって、該第１の表示装置（５２０）は前記コントローラ回路（５０４）に結合されかっ応答し、前記第１の表示装置（５２０）は前記第１の側部（１２０）から観察可能でありかつ少なくとも英数字文字の視覚的表示を提供するよう動作し、前記第１の表示装置（５２０）は前記携帯用無線電話（１００）が閉じられた位置にある時視界から遮られるもの、そして第２の表示装置（５１６）であって、該第２の表示装置（５１６）は前記コントローラ回路（５０４）に結合されかつ応答し、前記第２の表示装置（５１６）は前記第２の側部（１２２）から観察可能でありかつ少なくとも数字文字の視覚的表示を提供するよう動作可能であるもの、を具備することを特徴とする。
【００１５】
この場合、前記無線送受信機（５０２）は発呼ユニットからの到来呼に対応する信号を受信するよう動作し、かつ前記コントローラ回路（５０４）は前記携帯用無線電話（１００）が閉じられた位置にある時発呼ユニットの発呼者識別（ＩＤ）情報を視覚的に表示するために前記第２の表示装置（５１６）を制御するよう動作可能とすることもできる。
【００１６】
【発明の実施の形態】
図１は、移動ステーション１０２およびベースステーション１０４を具備する通信システム１００を示す。移動ステーション１０２およびベースステーション１０４は無線周波（ＲＦ）信号を介して通信し無線通信およびページング、電話、およびショートメッセージ機能のような特徴的機能を提供する。好ましくは、通信システム１００はセルラ電話通信および付加的な通信サービスを提供する。
【００１７】
移動ステーション１０２はハウジング１０５、ユーザインタフェース１０６、およびユーザインタフェース１０８を具備する。ＲＦ信号をベースステーション１０４へおよびベースステーション１０４から送信しかつ受信するために、移動ステーション１０２はまたアンテナ１１０を含む。移動ステーション１０２はまたアクセサリジャック１５８を含む。
【００１８】
ハウジング１０４はハウジング部１１２およびハウジング部１１４を含む。ハウジング部１１４は第１の位置と第２の位置との間で移動可能である。第１の位置は、図１に示されるような、開かれた位置と称することができ、かつ第２の位置は、図２に示されるように、閉じられた位置と称することができる。ハウジング部１１４は概略的に可動エレメントまたはフラップと称することができる。また、ハウジング部１１２および１１４は概略的にそれぞれ下部（ｌｏｗｅｒ）および上部（ｕｐｐｅｒ）ハウジング部と称することができる。ハウジング１０４は耐久性のある材料、好ましくはプラスチックで製作される。
【００１９】
示された実施形態では、ハウジング部１１４はヒンジ１１６を介してハウジング部１１２に結合されハウジング部１１４が矢印１５２で示されるように第１の位置と第２の位置との間で回転できるようにする。このような移動または運動を提供するための他の適切なメカニズムは技術的に知られておりかつしかるべく使用することができる。
【００２０】
ハウジング部１１２は面または表面１２０（ハウジング１０５の前面を形成する）、面または表面１２２（ハウジング１０５の頭部側を形成する）、面または表面１２４（ハウジング１０５の底部側を形成する）、面または表面１２６（ハウジング１０５の左側を形成する）、および面または表面１２８（ハウジング１０５の右側を形成する）を規定または画定する。各々の面１２２，１２４，１２６および１２８は合わさりかつ隣接し、そして面１２０にほぼ垂直である。面１２２，１２４，１２６および１２８の幅は概略的に面１２０の幅よりずっと小さい。例えば、面１２０の幅は面１２２，１２４，１２６および１２８の各々の幅の約４倍とすることができる。好ましくは、面１２０の幅は約５センチメートルでありかつ面１２２，１２４，１２６および１２８の各々の幅は約１．２５センチメートルである。ハウジング部１１４はハウジング部１１２と同様にまたは同じに寸法合わせされかつ形成され、そして同様に画定された面を含む。
【００２１】
上に述べたように寸法が定められかつ構成された場合、移動ステーション１０２は「着用できる、または装着できる（ｗｅａｒａｂｌｅ）」と述べることができ、すなわち、それはポケット内に適合する大きさに作られあるいはホルスタまたはベルトクリップを使用して衣服に取り付けることができる大きさに作られ、これについてはさらに図４に関連して後に示しかつ説明する。
【００２２】
ユーザインタフェース１０６は情報を表示するための表示領域１３０を含む。ユーザインタフェース１０６はページャユーザ用インタフェースと称することができる。示された実施形態では表示領域１３０は上向きに保持されかつ面１２２から外側に向けられる。表示領域１３０は図１および図２の矢印１５４で示される方向に向けられた可視的または視覚的情報を提供する。表示領域１３０は後により詳細に説明するように表示窓または表示ウインドウおよび表示エレメントを含む。
【００２３】
ユーザインタフェース１０８は情報を表示するための表示領域１３２、キーパッド１３４、ハウジング部１１４に配置されたスピーカ１３６、およびハウジング部１１２に配置されたマイクロホン１３８を含む。ユーザインタフェース１０８は電話ユーザ用インタフェースと称することができる。表示領域１３２は面１２０に設けられかつ面１２０から外側に向けられている。表示領域１３２はほぼ図１の矢印１５６で示される方向に視覚的情報を提供する。表示領域１３２は後により詳細に説明するように表示窓および表示エレメントを含むことができる。
【００２４】
移動ステーション１０２のユーザが表示領域１３２およびその上に表示された何らかの視覚的情報を観察する場合、表示領域１３０およびその中の何らかの視覚的情報は視界から妨げられ、それは表示領域１３０および１３２のハウジング１０５上の特定の方向のためおよび／またはハウジング部１１２に関するハウジング部１１４の位置のためである。同様に、ユーザが表示領域１３０およびその中の何らかの視覚的情報を観察する場合、表示領域１３２およびその中の何らかの視覚的情報は同様に同じまたは同様の理由で視界から妨げられる。
【００２５】
キーパッド１３４は面１２０の上に担持されかつ複数の電話キー１４０および複数の機能キー１４２を含む。複数の電話キー１４０は典型的には電話呼を開始するために提供される伝統的な電話キー（０〜９，＊，および＃）を含む。複数の機能キー１４２は典型的には、オン／オフキー、機能キー（ｆｕｎｃｔｉｏｎｋｅｙ）、送信キー（ｓｅｎｄ  ｋｅｙ）、および終了キー（ｅｎｄ  ｋｅｙ）のような、伝統的なセルラ電話の機能キーを含む。キーパッド１３４はハウジング部１１４が開かれた位置にあるときに使用するために操作可能である。表示領域１３２は典型的にはキーパッド１３４の作動に対応して、電話デジットのような、英数字文字を表示する。示された実施形態では、ユーザインタフェース１０８はハウジング部１１４が閉じられた位置にあるとき覆われる。移動ステーション１０２はまた面１２８の上に配置された複数のキー１４４を含む。ここでは、該複数のキー１４４はキー１４６、キー１４８、およびキー１５０を含む。
【００２６】
移動ステーション１０２はまた移動ステーション１０２の、以下に説明する、電気回路に給電するために設けられる、ハウジング部１１４に担持される、取り外し可能なバッテリ１２８を含む。取り外し可能なバッテリ１２８は前記電気回路を電気的導体を介してヒンジ１１６を通って電気的に結合するバッテリコンタクト（図では見えていない）を含む。取り外し可能なバッテリ１２８はラッチ機構２０２（図２）を含み、該ラッチ機構２０２は取り外し可能なバッテリ１２８がハウジング部１１４に取り付けられた状態に保たれるようにする。
【００２７】
図３は、移動ステーション、特に移動ステーション３０２の別の実施形態を示す。移動ステーション３０２はハウジング部３０４、ハウジング部３０６、ハウジング部３０６に配置されたスピーカ３１４、ハウジング部３０６上に担持される取り外し可能なバッテリ３１２、ハウジング部３０４に配置されたマイクロホン３１５、およびハウジング部３０４上に担持されるキーパッド３１６を含む。移動ステーション３０２はまた表示領域３１８および表示領域３２０を含む。表示領域３１８はハウジング部３０４の面３１０から外側に向いており、かつ表示領域３２０はハウジング部３０６の面３０８から外側に向いている。
【００２８】
図４は、ホルスタ（ｈｏｌｓｔｅｒ）４０６に入れられたユーザが着用している移動ステーション１０２を示す。ここでは、移動ステーション１０２の大きさは説明のための目的で大きく誇張されている。移動ステーション１０２はホルスタ４０６の保持部分内に挿入され、かつホルスタ４０６は該ホルスタ４０６のベルトクリップ（図示せず）によってユーザの被服の部材に取り付けられている。
【００２９】
図５は、移動ステーション１０２の電気回路５００の電気的ブロック図を示す。電気回路５００は送受信機５０２、コントローラ５０４、表示要素５０６、キーパッド回路５０７、スイッチ５０８、警報部５０９、バイブレータ５１１、キー回路５１３、マイクロホン１１４、およびスピーカ１１６を含む。好ましくは、物理的スペースの大きな部分を消費する送受信機５０２およびコントローラ５０４を含む、電気回路５００の大部分はハウジング部１１２内のプリント回路基板（ＰＣＢ）上においてハウジング部１１２内に配置される。
【００３０】
送受信機５０２はアンテナ１１０に結合されかつ送信機５１０および受信機５１２を含む。受信機５１２はアンテナ１１０を通してＲＦ信号を受信しかつ該ＲＦ信号を復調する。コントローラ５０４は受信機５１２に結合されかつ受信機５１２から復調された情報を受ける。そのような情報は制御情報を含みかつ処理されてスピーカ１１６に送られる音声情報を含むことができる。コントローラ５０４は送信機５１０に結合されかつ送信のために情報をそこに送る。そのような情報は制御情報を含みかつマイクロホン１１４から受信される音声情報を含むことができる。マイクロホン１４４およびスピーカ１１６はオーディオ回路（図示せず）を介してコントローラ５０４に結合されている。コードを介してプラグに結合されたイアスピーカおよびマイクロホンを含む、スピーカおよびマイクアクセサリ５３６はアクセサリジャック５３６に挿入しかつコントローラ５０４に結合することができる。
【００３１】
キーパッド回路５０９はキーパッド１３４（図１）におけるキーの作動に応じてコントローラ５０４に信号を提供する。同様に、キー回路５１３は複数のキー（図１）の作動に応じてコントローラに信号を提供する。スイッチ５０８はハウジング部１１４の第１の位置と第２の位置との間での移動に応じてコントローラ５０４に信号を提供する。好ましくは、スイッチ５０８は磁気的スイッチを具備する。遠隔ユニットから呼を受信したことに応じて、コントローラ５０４は警報部５０４を制御して可聴警報信号を響かせあるいはバイブレータ５１１が振動するよう制御する。
【００３２】
図５に示された実施形態では、表示装置の構成要素５０６はドライバ５１４、表示エレメント５１６、ドライバ５１８、表示エレメント５２０、およびバックライト部５２２を含む。コントローラ５０４は表示領域１３０および１３２（図１）において表示されるべき表示データを発生する。コントローラ５０４はライン５２４を介してドライバ５１４および表示エレメント５１６への電力を制御する。同様に、コントローラ５０４はライン５３０を介してドライバ５１８および表示エレメント５２０への電力を制御する。コントローラ５０４はライン５２６（ドライバ５１４に対し）およびライン５３２（ドライバ５１８に対し）を通して表示データを受信するためにドライバ５１４および５１８の１つを選択し、かつ該表示データをドライバ５１４および５１８の双方に結合されたデータバス５２８を介して送る。コントローラ５０４はライン５３４を介してバックライト部５２２への電力を制御する。
【００３３】
表示エレメント５１６および５２０は移動ステーション１０２のユーザのために、それぞれ、表示領域１３０および１３２において視覚的情報を提供する。表示エレメント５１６および５２０の各々は発光ダイオード（ＬＥＤ）表示装置または液晶（ＬＣＤ）表示装置のような任意の適切な表示装置（単数または複数）によって構成することができる。セグメントまたは画素を照明することに加えて、そのような表示装置は照明アイコンを含むことができる。典型的には、表示エレメント５１６および５２０は形状が実質的に平坦でありかつ四角形でありかつ従って、図１および図２に示される実施形態に対しては、ハウジング部１１２においてお互いに実質的に垂直に配置される。
【００３４】
好ましくは、表示エレメント５１６は単一ラインのＬＣＤ表示装置でありかつ表示エレメント５２０は複数ラインのＬＣＤ表示装置である。また、好ましくは、表示エレメント５２０は表示エレメント５１６の解像度より大きな解像度を有する。もし両方の表示エレメント５１６および５２０がＬＣＤ表示装置であれば、バックライト部５２２は好ましくはバックライトが表示エレメント５１６および５２０の双方のために提供されるように設計されかつ配置される。また、好ましくは、表示装置の構成要素５０６は電気回路５００の残りの部分（送受信機５０２およびコントローラ５０４のような）を保持するメインＰＣＢとは異なる２次プリント回路基板（ＰＣＢ）に実装される。ここでは、２次ＰＣＢは柔軟性あるコネクタまたはフレックスコネクタ（ｆｌｅｘ  ｃｏｎｎｅｃｔｏｒ）を介してメインＰＣＢに取り付けられかつ結合される。
【００３５】
図６は、表示装置の構成要素５０６の第１の別の実施形態を示す。ここでは、表示装置の構成要素５０６はドライバ６０２、表示エレメント６０４、表示エレメント６０６、およびバックライト部６０８を含む。表示エレメント６０４は表示領域１３０において視覚的情報を提供し、かつ表示エレメント６０６は表示領域１３２において視覚的情報を提供する。表示エレメント６０４および６０６はドライバ６０２を共用する。好ましくは、ドライバ６０２および表示エレメント６０６は２次ＰＣＢ上に実装されかつ第１のフレックスコネクタを介してメインＰＣＢに結合され、かつ表示エレメント６０４は第２のフレックスコネクタを介して前記ＰＣＢに結合されかつ取り付けられる。第２のフレックスコネクタは柔軟性があるから、表示エレメント６０４および表示エレメント６０６はハウジング部１１２内で適切に構成されかつ配置することができる。
【００３６】
図７は、表示装置の構成要素５０６の第２の別の実施形態を示す。ここでは、表示装置の構成要素５０６はドライバ７０２、フレキシブル表示エレメント７０４、バックライト部７１０を含む。フレキシブル表示エレメント７０４は真にまたは実際に（ｉｎｄｅｅｄ）柔軟性があり、かつ表示部７０６および表示部７０８を具備する。表示部７０６は表示領域１３０のための情報を提供し、かつ表示部７０８は表示領域１３２のための情報を提供する。図１に示される表示領域１３０および１３２の構成から理解できるように、フレキシブル表示エレメント７０４はハウジング部１１２内で折り曲げられまたは湾曲されて（ｂｅｎｔ  ｏｒｃｕｒｖｅｄ）、従って表示部７０６が実質的に表示部７０８に対して垂直になるようにされる。
【００３７】
図８および図９は、移動ステーション１０２の電気回路５００の動作の方法を説明するためのフローチャートを示す。ここで説明される方法は図５に関して示されかつ説明された表示装置の構成要素５０６を使用する。移動ステーション１０２はスタンバイ動作モードにある。スタートブロック８００において、ハウジング部１１４は開かれた位置から閉じられた位置へと配置される。コントローラ５０４はライン５２４を介してドライバ５１４および表示エレメント５１６への電力を作動可能またはイネーブルする（ステップ８０２）。コントローラ５０４はライン５２６を介してデータ通信のためにドライバ５１４をイネーブルし、かつそこに表示データを送る。ドライバ５１４は表示領域１３０において視覚的情報、好ましくはステータス情報、を表示するために表示エレメント５１６にデータを送る（ステップ８０４）。もしドライバ５１８および表示エレメント５２０のために電力が前にイネーブルされていれば、コントローラ５０４はそこへの電力をディスエーブルまたは不作動とする（ステップ８０６）。
【００３８】
この場合、前記ステータス情報は日付および時間情報、バッテリレベルの指示および／またはローバッテリ警告指示のようなバッテリステータス情報、「使用中（ｉｎ  ｕｓｅ）」指示および／またはローム（ｒｏａｍ）指示のような通信ステータス情報、またはこれらの任意の組合せを含むことができる。あるいは、前記ステータス情報は、表示領域１３０がクリアされた場合に、ほとんどまたは何らの情報をも含まないようにすることができる。
【００３９】
コントローラ５０４は複数のキー１４４の作動（ａｃｔｕａｔｉｏｎｓ）を検出するためにキー回路５１３を読み取る。コントローラ５０４がキー１４６の作動を検出すれば（ステップ８０８）、コントローラ５０４はバックライト部５２２のオン／オフ状態をトグルする（ステップ８１０）。すなわち、コントローラ５０４はバックライト部５２２がオフであればバックライト部５２２をターンオンし、かつバックライト部５２２がオンであればバックライト部５２２をターンオフする。もしバックライト部５２２がステップ８１０からターンオンされれば、コントローラ５０４は所定の期間の経過の後にバックライト部５２２をターンオフするためにタイマをセットする（ステップ８１２）。
【００４０】
もしコントローラ５０４がキー１５０の作動を検出すれば（ステップ８１４）、コントローラ５０４は表示データをドライバ５１４に送り、該ドライバ５１４は表示データを表示エレメント５１６に送る。従って、表示領域１３０において新しい視覚的情報が表示される。この新しい視覚的情報は前記ステータス情報と異なる情報または前記ステータス情報に加えての情報を含むことができ、かつ日付および時間情報、バッテリレベル指示および／またはローバッテリ警告指示のようなバッテリステータス情報、「使用中（ｉｎ  ｕｓｅ）」指示および／またはローム指示のような通信ステータス情報、またはこれらの任意の組合せを含むことができる。コントローラ５０４は新しい表示情報に関連するタイマをセットする（ステップ８１８）。
【００４１】
もしコントローラ５０４が到来または入り呼（ｉｎｃｏｍｉｎｇ  ｃａｌｌ）を検出すれば（ステップ８２０）、本方法は図９に続く。コントローラ５０４は可聴警報信号を響かせるために警報部５０９を制御する（ステップ８２８）。あるいは、ステップ８２８において、コントローラ５０４はバイブレータ５１１が振動するよう制御を行うことができる。受信機５１２は受信したＲＦ信号を復調しかつ発呼者ＩＤまたは短メッセージデータのようなデータ信号を発生する。コントローラ５０４はそのようなデータを受信し、表示データを発生しかつそれをライン５２８を介してそのようなデータに対応する表示領域１３０において視覚的情報を表示するためにドライバ５１４に送る。例えば、表示領域１３０は図２に示されるのと同様の方法で発呼者ＩＤデータを表示することができる。多量の情報が表示されるべき場合は、コントローラ５０２は表示領域５１６が情報をスクロールするよう（例えば、左から右へ）あるいは周期的に新しい情報をフラッシュ表示（ｆｌａｓｈｅｓ）するようにドライバ５１４を制御することができる。
【００４２】
コントローラ５０４は、ここでは呼に応答する意図を示すが、ハウジング部１１４が閉じられた位置から開かれた位置へと移動されたときスイッチ５０８から制御信号を検出する（ステップ８３２）。そのような検出に応じて、移動ステーション１０２は呼に応答する（ステップ８３３）。コントローラ５０４はライン５３０を介して表示領域１３２に対応するドライバ５１８および表示エレメント５２０への電力をイネーブルする（ステップ８３４）。コントローラ５０４はライン５３２を介してデータ通信のためにドライバ５１８をイネーブルし、かつデータバス５２８を介して表示データをドライバ５１８に送る。ドライバ５１８はデータを表示エレメント５２０に送り、かつ視覚的情報は表示領域１３２において表示される（ステップ８３６）。コントローラ５０４はライン５２４を介してドライバ５１４および表示エレメント５１６をパワーオフし、それによって表示領域１３０をターンオフする（ステップ８３８）。
【００４３】
好ましくは、ステップ８３６に対応する視覚的情報は呼の受信に応じて得られた発呼者ＩＤまたは短メッセージを含む。例えば、前記視覚的情報は発呼者ＩＤデータを含みかつ図１に示されるように表示することができる。表示領域１３２は好ましくは表示領域１３０より大きくあるいはより多くの視覚的情報を表示できるから、表示領域１３２は前記視覚的情報を全体として表示することができ、一方表示領域１３０は前記視覚的情報をスクロールまたは他の技術的に知られた方法によって表示しなければならないであろう。
【００４４】
ステップ８３２において、スピーカおよびマイクアクセサリ５３６がアクセサリジャック１５８に挿入されたとき、複数のキー１４４の１つの作動はハウジング部１１４を開かれた位置へと移動する必要性なしに（かつまた移動ステーション１０２をホルスタから取り出す必要性なしに）呼に応答することができる。呼が完了した後、前記複数のキー１４４の内の１つの作動によりその呼を終了させることができる。
【００４５】
もし前記呼が，２方向電話または電話様呼（ｔｅｌｅｐｈｏｎｅ−ｌｉｋｅ  ｃａｌｌ）のような、２方向または双方向呼であれば、移動ステーション１０２のユーザは音声通信のためにマイクロホン１１４およびスピーカ１１６を使用する。コントローラ５０４はハウジング部１１４が開かれた位置から閉じられた位置へと移動されたときにスイッチ５０８からの制御信号を検出する（ステップ８４０）。そのような検出に応じて、コントローラ５０４は呼を終了させるためのタスクを行う（ステップ８４１）。さらに、コントローラ５０４はライン５２４を介してドライバ５１４および表示エレメント５１６をパワーオンする（ステップ８４２）。コントローラ５０４はライン５２６を介してデータ通信のためにドライバ５１４をイネーブルしかつデータバス５２８を介してそこに表示データを送る。ドライバ５１４は表示領域１３０においてそのようなデータに対応する視覚的情報を表示するために表示エレメント５１６に対しデータを送る（ステップ８４４）。コントローラ５０４はドライバ５１８および表示エレメント５１６からの電力をディスエーブルし、それによって表示領域１３２をターンオフする（ステップ８４６）。本方法は図８のステップ８０８に戻って続けられる。
【００４６】
ステップ８４４に対応する視覚的情報はステップ８０４に関して説明されたものと同じでよい（時間、日付、その他）。好ましくは、ステップ８４４に対応す視覚的情報は、呼の持続時間、呼のために使用される時間の「単位（ｕｎｉｔｓ）」、その呼に対して課金される金額、またはこれらの任意の組合せのような２方向呼に関する情報を含む。そのような情報は実際のもの（ｒｅａｌ）あるいは概算とすることができ、ベースステーション１０４はこの情報を移動ステーション１０２に送りおよび／または移動ステーション１０２は実時間クロック（図示せず）を備えることができる。また、好ましくは、もしそのような好ましい情報が表示されれば、表示領域５１６は所定の期間の経過の後にまたは前記複数のキー１４４の１つの作動の後にステップ８０４に関連して前に説明したのと同様のまたは同じ視覚的情報（時間、日付、その他）を表示することができる。
【００４７】
ステップ８３２において、ハウジング部１１４は入り呼または到来呼の検出の後に開かれないことがあり、かつしたがってコントローラ５０４はスイッチ５０８からの制御信号を検出しないかも知れない。コントローラ５０４はキー回路５１３を介して複数のキー１４４のうちの１つの作動を検出することができる（ステップ８４８）。それに応じて、コントローラ５０４は前記到来呼を音声メールへまたはメモリを備えた応答装置へと直ちにまたは直接送ることを開始し、そこで合成されたメッセージが発呼者に再生されおよび音声メッセージが記録できる（ステップ８５０）。
【００４８】
ステップ８４８において、前記複数のキー１４４のうちのいずれも到来呼の検出の後に作動されず、したがってコントローラ５０４はキー回路５１３からの信号を検出しないかもしれない。コントローラ５０４はステップ８３２および８４８においてスイッチ５０８およびキー回路５１３からの信号の検出の監視を続ける。
【００４９】
ステップ８４８および８５０に関連して上に説明した選択肢は到来呼に応答すること（多分表示領域１３０における視覚的情報を観察して）および警報部５０９またはバイブレータ５１１からの信号を長い持続時間の間聞きまたは感じることが望まれない場合に好ましいかもしれない。
【００５０】
移動ステーション１０２は他の入力信号に応じて表示領域１３０および１３２を動作させることができる。例えば、図４は側部４１０を有するホルスタ４０８の図４００を示す。移動ステーション１０２はその後部側（ｒｅａｒ  ｓｉｄｅ）４０２上に電気的コンタクト４０４（図４にも示されている）を有する。側部４１０の内側に、ホルスタはコンタクト４１２およびコンタクト４１４を有する導電性エレメント４１２を有する。移動ステーション１０２がホルスタ４０８の外側にあるとき、表示領域１３０はパワーオフされかつ表示領域１３２はパワーオンされる（もし露出されれば）。移動ステーション１０２がホルスタ４０８に挿入されたとき、２つの電気的コンタクト４０４は導電性エレメント４１２からショートされかつ、これに応じて、表示領域１３０はコントローラ５０４によってパワーオンされ、一方表示領域１３２はパワーオフにされる。
【００５１】
図１０は、移動ステーションのさらに別の実施形態、特に、移動ステーション９００を示す。移動ステーション９００はヒンジ９０５を介して一緒に結合されたハウジング部９０２およびハウジング部９０４を含み、ハウジング部９０４は開かれた位置および閉じられた位置から移動可能である。図１０において、ハウジング部９０４は開かれた位置に示されている。移動ステーション９０２はまたハウジング部９０２から外側に伸張可能な収納可能アンテナ９０６、ハウジング部９０２内に配置されかつハウジング部９０２から外側に向けられたスピーカ９０８、ハウジング部９０４内に配置されかつハウジング部９０４から外側に向けられたマイクロホン９１０、およびハウジング部９０２上に担持されるキーパッド９１２を含む。
【００５２】
移動ステーション９０２はハウジング部９０２の前部側から外側に向いた表示領域９１４、およびハウジング部９０４から外側に向いた表示領域９１６を有する。ハウジング部９０４が閉じられた位置に移動したとき、表示領域９１６は視界から遮られ、一方表示領域９１４は観察のために利用可能である。表示領域９１４は好ましくは単一ラインのＬＥＤ表示装置を含み、かつ表示領域９１６は好ましくは大きなグラフィクス用ＬＣＤ表示装置を含む。移動ステーション９０２は図８および図９のフローチャートに関して説明した移動ステーション１０２と類似のまたは同様の方法で動作する。
【００５３】
本発明の好ましい実施形態が示されかつ説明されたが、変更または修正を行なうことが可能である。例えば、図１の表示領域１３０はユーザに視覚的情報を表示するためにハウジング部１１２および１１４の任意の適切な側部にそって配置できる。したがって、添付の特許請求の範囲は本発明の真の精神および範囲内に入る全てのそのような変更および修正をカバーすることを意図している。
【００５４】
【発明の効果】
したがって、本発明によれば、複数の表示装置を有し低価格かつ低消費電力でユーザに多様なかつ使い勝手のよい表示を与える通信装置を実現できる。
【図面の簡単な説明】
【図１】第１の表示領域および第２の表示領域を有する移動ステーションを示す説明図である。
【図２】図１の移動ステーションの別の状態を示す説明図である。
【図３】移動ステーションの別の実施形態を示す説明図である。
【図４】ユーザによってホルスタに装着された移動ステーションを示す説明図である。
【図５】移動ステーションの電気的回路を示す概略的ブロック図である。
【図６】電気回路の第１の別の実施形態の表示要素を示す概略的ブロック図である。
【図７】表示要素の第２の別の実施形態を示す概略的ブロック図である。
【図８】移動ステーションの動作を説明する第１の部分のフローチャートである。
【図９】移動ステーションの動作を説明する第２の部分のフローチャートである。
【図１０】移動ステーションのさらに別の実施形態を示す説明図である。
【符号の説明】
１００  通信システム
１０２  移動ステーション
１０４  ベースステーション
１０５  ハウジング
１０６，１０８  ユーザインタフェース
１５８  アクセサリジャック
１１２，１１４  ハウジング部
１２０，１２２，１２４，１２６，１２８  ハウジング１０５の面
１３０，１３２  表示領域
１３４  キーパッド
１３６  スピーカ
１３８  マイクロホン
１４０  電話キー
１４２  機能キー
１４４  複数のキー
１４６，１４８，１５０  キー
２０２  ラッチメカニズム
４０６  ホルスタ
５００  移動ステーションの電気回路
５０２  送受信機
５０４  コントローラ
５０６  表示要素
５０７  キーパッド回路
５０８  スイッチ
５０９  警報部
５１１  バイブレータ
５１３  キー回路
【図１】
0004243367.tif 000002
【図２】
0004243367.tif 000003
【図３】
0004243367.tif 000004
【図４】
0004243367.tif 000005
【図５】
0004243367.tif 000006
【図６】
0004243367.tif 000007
【図７】
0004243367.tif 000008
【図８】
0004243367.tif 000009
【図９】
0004243367.tif 000010
【図１０】
0004243367.tif 000011